(57)【要約】【課題】原稿の画像がカラーであるか否かの判別処理を行う必要がなく、カラーモードとモノクロモードを切り替えるための切替操作及び切替キーを不要にできる画像読取装置を提供すること。【解決手段】原稿載置台に載置された原稿の画像を読み取る画像読取手段と、前記原稿載置台に載置された原稿の位置を検出する位置検出手段と、該位置検出手段により検出された前記原稿の位置に基づいて色指定モードを切り替える切替手段と、を備えること。【選択図】      図３
2005017809.tif 000002
【特許請求の範囲】
【請求項１】
原稿載置台に載置された原稿の画像を読み取る画像読取手段と、前記原稿載置台に載置された原稿の位置を検出する位置検出手段と、該位置検出手段により検出された前記原稿の位置に基づいて色指定モードを切り替える切替手段と、を備えることを特徴とする画像読取装置。
【請求項２】
前記位置検出手段は、前記原稿載置台の主走査方向における原稿の位置を検出するものであり、前記切替手段は、前記位置検出手段によって検出された前記主走査方向における原稿の位置に基づいて前記色指定モードを切り替えることを特徴とする請求項１記載の画像読取装置。
【請求項３】
前記切替手段が各色指定モードを切り替えるための前記原稿の位置は、いずれも前記原稿の一側縁が前記原稿載置台の読取開始位置側に沿う位置であることを特徴とする請求項２記載の画像読取装置。
【請求項４】
前記画像読取手段は、予備走査を行う手段を備え、前記原稿載置台の上面には、該原稿載置台に対して開閉可能な原稿押圧部材が設けられ、前記位置検出手段による前記原稿の位置の検出は、前記原稿押圧部材が閉じられたときに行われる前記画像読取手段の予備走査によって行われ、前記切替手段は、検出された主走査方向における原稿の位置に基づいて色指定モードを切り替えることを特徴とする請求項３記載の画像読取装置。
【発明の詳細な説明】
【０００１】
【発明の属する技術分野】
本発明は、画像読取装置に関し、詳しくは原稿の画像を読み取ってカラー画像データ又はモノクロ画像データとして処理する画像読取装置に関する。
【０００２】
【従来の技術】
モノクロ画像データの記録処理が連続して行われた場合に、その記録枚数を積算し、積算記録枚数が予め設定された設定枚数を越えた後は、モノクロ画像データを記録紙に記録する処理において、Ｃ（シアン）、Ｍ（マゼンタ）、Ｙ（イエロー）の感光体ドラムを転写ベルトから離間させ、Ｋ（ブラック）の感光体ドラムのみを転写ベルトに圧接して記録処理を行う記録部を備えた画像読取装置がある（例えば、特許文献１参照）。この画像読取装置によれば、モノクロ画像データを連続して記録している間、使用しない各感光体ドラムは、転写ベルトから離間されてその回転駆動も停止されているので、トナーが付着していない感光体ドラムにクリーニング部材が摺接されてドラム周面に過度の摩擦抵抗が発生したり、クリーニング部材がめくれを起こすということもないため、ＣＭＹの感光体ドラムの寿命を延ばすことができるという利点がある。
【０００３】
また、原稿をカラー画像として読み取るカラーモードと、原稿をモノクロ画像として読み取るモノクロモードを切り替えるための切替キーを備え、ユーザの切替操作に基づいて、原稿の画像をカラーモード又はモノクロモードで読み取る画像読取装置がある。この画像読取装置では、ユーザの切替操作に基づいて原稿の読み取りが行われるため、原稿の画像がカラーであるかモノクロであるかを自動的に判別するといった処理を行う必要がない。
【０００４】
【特許文献１】
特開平１１−１６７２３８号公報
【０００５】
【発明が解決しようとする課題】
しかしながら、上記のＣＭＹの感光体ドラムを離間する制御を行う画像読取装置では、上述したモノクロ画像データの記録枚数を積算するために、原稿の予備走査により、又は読み取った後の原稿の画像データの解析により、その画像データがカラーであるか否かを判別する処理を行わなければならない。したがって、原稿を読み取る際に、この判別処理の分だけ余分に時間がかかり、また判別処理を行うための判別回路等を設けなければならない。
【０００６】
一方、上記のユーザの切替操作に基づいて原稿をカラーモード又はモノクロモードで読み取る画像読取装置では、原稿の画像がカラーであるか否かの判別処理を行う必要はないものの、ユーザは原稿を載置する度に原稿の画像に応じて面倒な切替操作を行わなければならないという問題点がある。
【０００７】
本発明は、かかる問題に鑑みてなされたものであり、原稿の画像がカラーであるか否かの判別処理を行う必要がなく、カラーモードとモノクロモードを切り替えるための切替操作及び切替キーを不要にできる画像読取装置を提供することを目的とする。
【０００８】
【課題を解決するための手段】
請求項１記載の画像読取装置は、原稿載置台に載置された原稿の画像を読み取る画像読取手段と、前記原稿載置台に載置された原稿の位置を検出する位置検出手段と、該位置検出手段により検出された前記原稿の位置に基づいて色指定モードを切り替える切替手段と、を備えることを特徴としている。
【０００９】
請求項２記載の画像読取装置は、請求項１に記載の画像読取装置において、前記位置検出手段は、前記原稿載置台の主走査方向における原稿の位置を検出するものであり、前記切替手段は、前記位置検出手段によって検出された前記主走査方向における原稿の位置に基づいて前記色指定モードを切り替えることを特徴としている。
【００１０】
請求項３記載の画像読取装置は、請求項２に記載の画像読取装置において、前記切替手段が各色指定モードを切り替えるための前記原稿の位置は、いずれも前記原稿の一側縁が前記原稿載置台の読取開始位置側に沿う位置であることを特徴としている。
【００１１】
請求項４記載の画像読取装置は、請求項３に記載の画像読取装置において、前記画像読取手段は、予備走査を行う手段を備え、前記原稿載置台の上面には、該原稿載置台に対して開閉可能な原稿押圧部材が設けられ、前記位置検出手段による前記原稿の位置の検出は、前記原稿押圧部材が閉じられたときに行われる前記画像読取手段の予備走査によって行われ、前記切替手段は、検出された主走査方向における原稿の位置に基づいて色指定モードを切り替えることを特徴としている。
【００１２】
【発明の実施の形態】
以下、本実施の形態に係る画像読取装置をコピー機能、ファクシミリ機能、スキャナ機能等を有する複合機に適用した場合について図面に基づき説明する。図１に示すように、画像読取装置１は、制御部（ＭＰＵ：Ｍｉｃｒｏｐｒｏｃｅｓｓｉｎｇ  Ｕｎｉｔ）２、原稿読取部３、原稿検出部４、開閉検出部５、操作部６、表示部７、ＲＯＭ（Ｒｅａｄ  Ｏｎｌｙ  Ｍｅｍｏｒｙ）８、ＲＡＭ（Ｒａｎｄｏｍ  Ａｃｃｅｓｓ  Ｍｅｍｏｒｙ）９、画像処理部１０、画像メモリ１１、コーデック（ＣＯＤＥＣ：Ｃｏｄｅｒ  ａｎｄ  Ｄｅｃｏｄｅｒ）１２、記録部１３、通信部１４、及びＬＡＮ  Ｉ／Ｆ１７を備えたものであって、各部２乃至１７は、バス１８によって通信可能に接続されている。
【００１３】
制御部２は、所定のプログラムに従ってこの画像読取装置１を構成する各部を制御するものである。原稿読取部３は、図２に示すように、その上面に原稿を載置するための透明な平面板からなる原稿載置台２１と、該原稿載置台２１に載置された原稿の一方の長さ方向（副走査方向）のサイズを検出する原稿検出部４と、読取位置が原稿載置台２１上に載置された原稿の画像を主走査ライン毎に読み取りながら副走査方向に移動し、その画像データを出力する画像読取ユニット２２と、原稿読取部本体２３の上面奥に設けられた支持部２４に対して開閉可能な原稿押圧部材２５と、を具備している。なお、原稿押圧部材２５と原稿読取部本体２３の上面との取付け部分には、原稿押圧部材２５の開閉状態を検出するための開閉検出部５が設けられている。
【００１４】
原稿載置台２１は、図３に示すように、画像読取ユニット２２によって読み取られる原稿４４を載置するものであり、例えばＡ４（日本工業規格Ａ列４番）や、Ｂ４（日本工業規格Ｂ列４番）等の複数種類の定形サイズの原稿を載置するものであり、最大でＡ３（日本工業規格Ａ列３番）の原稿を載置することが可能である。また、原稿載置台２１の左手前と左手奥には、原稿を載置する際の２つの原稿載置基準位置Ａ及びＢが画像読取ユニット２２の読取開始位置側に設けられており、原稿載置基準位置Ａは例えば赤色等の矢印２６によってその位置が示され、原稿載置基準位置Ｂは例えば白抜きの矢印２７によってその位置が示されている。
【００１５】
原稿の左手前側角部が原稿載置基準位置Ａに合わせて載置された場合、読み取られた原稿の画像データはカラーモードによりカラー画像データとして処理されるようになっている。すなわち、コピー機能により読み取られた原稿の画像はカラーコピーされ、ファクシミリ機能により読み取られた原稿の画像はカラー原稿としてファクシミリ送信され、スキャナ機能により読み取られた原稿の画像は、カラー画像データとして所定の出力先に出力される。なお、原稿載置台２１の外側には、原稿載置基準位置Ａがカラーモードの基準位置であることをユーザに示すための前記矢印２６とともに、「カラー」の文字２８が、例えば赤色で表示されている。
【００１６】
一方、原稿の左手奥側角部が原稿載置基準位置Ｂに合わせて載置された場合、読み取られた原稿の画像データはモノクロモードによりモノクロ画像データとして処理されるようになっている。すなわち、コピー機能により読み取られた原稿の画像はモノクロコピーされ、ファクシミリ機能により読み取られた原稿の画像はモノクロ原稿としてファクシミリ送信され、スキャナ機能により読み取られた原稿の画像は、モノクロ画像データとして所定の出力先に出力される。なお、原稿載置台２１の外側には、原稿載置基準位置Ｂがモノクロモードの基準位置であることをユーザに示すための前記矢印２７とともに、「モノクロ」の文字２９が、例えば白字で表示されている。
【００１７】
したがって、ユーザはこれらの原稿載置基準位置Ａ及びＢを示す矢印２６及び２７や文字２８及び２９を見て、原稿載置基準位置Ａに合わせて原稿を載置した場合には原稿の画像はカラー画像として処理され、原稿載置基準位置Ｂに合わせて原稿を載置した場合には原稿の画像はモノクロ画像として処理されるということを容易に認識することができる。なお、原稿載置台２１の縦方向（主走査方向）の長さは、原稿載置台２１に載置可能な最大サイズの原稿、すなわちＡ３サイズの原稿を載置した場合でも、原稿が原稿載置基準位置Ａ又は原稿載置基準位置Ｂの何れに合わせて載置されているのかを判別できるように、Ａ３サイズの短辺の長さよりも所定長さだけ長くなっている。
【００１８】
画像読取ユニット２２は、フラットベッドスキャナ（ＦＢＳ：ＦｌａｔＢｅｄ  Ｓｃａｎｎｅｒ）の読取機構としての機能を果たすものであり、具体的には、図４に示すように、原稿載置台２１上に載置された原稿４４に対して、主走査方向の光源及び反射ミラーを副走査方向に走査して、原稿からの反射光をＣＣＤ（Ｃｈａｒｇｅ  Ｃｏｕｐｌｅｄ  Ｄｅｖｉｃｅ）イメージセンサにより電気信号に変換し、変換した画像データを所定の出力先に出力するものであり、画像読取手段として機能する。また、画像読取ユニット２２は、その読取位置を読取開始位置側の検出位置、すなわち、図中の予備走査位置から所定の距離だけ移動させて、原稿の画像を数ライン分読み取る予備走査（プレスキャン）を行うことにより、原稿載置台２１上の原稿４４の主走査方向の位置を検出すると共に、原稿の主走査方向のサイズを検出するものであり、この画像読取ユニット２２は位置検出手段としても機能する。制御部２は、この画像読取ユニット２２の予備走査によって得られた画像データに基づいて原稿４４が原稿載置基準位置Ａを基準として載置されているのか、或いは、原稿載置基準位置Ｂを基準として載置されているかを判別すると共に、原稿の主走査方向のサイズを判断する。
【００１９】
原稿押圧部材２５は、原稿載置台２１上に載置された原稿４４の上に載置することにより、原稿４４を原稿載置台２１に密着させるようにして押えつけると共に、原稿の背景として原稿の周辺部に影が生じることを防ぐ働きをするものである。ここでは、図２に示すように、原稿読取部本体２３の上面の奥側に設けられた支持部２４によって回動可能に支持されることにより、支持部２４を中心に開閉回動可能に設けられている。また、図示しないが、原稿押圧部材２５の上面には自動原稿給送部（ＡＤＦ：Ａｕｔｏｍａｔｉｃ  Ｄｏｃｕｍｅｎｔ  Ｆｅｅｄｅｒ）が設けられている。
【００２０】
原稿検出部４は、原稿載置台２１上に載置された原稿４４の副走査方向のサイズを検出するものである。具体的には、原稿載置台２１に載置された原稿４４に対し所定の原稿検知ポイントにマルチビームを照射し、各原稿検知ポイントからの反射光の信号レベルに基づいて各原稿検知ポイントにおける原稿の有無を検知するように構成されている。本実施形態においては、原稿４４が原稿載置基準位置Ａを基準にして載置されている場合に原稿４４の副走査方向のサイズを検出する原稿検出部４ａと、原稿４４が原稿載置基準位置Ｂを基準にして載置されている場合に原稿４４の副走査方向のサイズを検出する原稿検出部４ｂが設けられている。
【００２１】
開閉検出部５は、図５に示すように、原稿押圧部材２５の開閉状態、ここでは原稿押圧部材２５の原稿読取部本体２３の上面に対する角度θを検出するものである。具体的には、原稿押圧部材２５の開閉に従って上下動する被検出体３８と、該被検出体３８を検出する検出センサ３９を備えており、角度θがθ１以下となったときに、検出センサ３９が被検出体３８を検出する構成となっている。ここで、角度θ１は、例えば本等の厚めの原稿を載置する場合を考えて、原稿押圧部材２５がほぼ完全に閉まった状態における角度よりも若干大きな角度に設定されている。制御部２は、原稿押圧部材２５が閉じられたとき、すなわち検出センサ３９によって被検出体３８が検出されたときに、画像読取ユニット２２に原稿の予備走査を行わせ、原稿検出部４に原稿の副走査方向のサイズを検出させる。
【００２２】
操作部６は、図２に示すように、原稿載置台２１上に載置された原稿４４や原稿押圧部材２５の原稿台上に載置された原稿の読取り開始命令を指示するためのスタートキー３１、コピー部数やファクシミリ番号等を入力するためのテンキー３２、原稿の読取倍率を設定するための倍率設定キー３３、原稿の読取濃度を設定するための濃度設定キー３４など、表示部７と連動した各種操作キーを備えている。また、表示部７は、各種の設定状態や装置１の動作状態などを文字や図形などで表示する液晶表示装置３５や、点灯又は消灯で表示するＬＥＤランプ３６などを備えている。
【００２３】
ＲＯＭ８は、制御部２によりこの画像読取装置１の各部の動作が制御されるための各種プログラムを記憶している。ＲＯＭ８に記憶されているプログラムは、具体的には、原稿載置台２１上における原稿４４の主走査方向の載置位置に基づいて、色指定モードの切り替えを行うためのモード切替処理プログラムや、原稿読取部３で読み取られた原稿の画像データに所定の画像処理を施すための画像処理プログラム等である。
【００２４】
ＲＡＭ９は、登録されたファクシミリ番号、メールアドレス等のほか、画像読取装置１の色指定モード情報９ａが記憶されている。この色指定モード情報９ａは、現在の画像読取装置１の色指定モードを示し、カラーモード又はモノクロモードが記憶されるようになっている。制御部２は、画像読取ユニット２２の原稿の予備走査により得られた画像データから、図３に示すように原稿４４が原稿載置基準位置Ａに合わせて載置されていると判別した場合に、ＲＡＭ９の色指定モード情報９ａをカラーモードに更新する。このように、ＲＡＭ９の色指定モード情報９ａがカラーモードに更新された場合、原稿読取部３において読み取られた画像データは、画像処理部１０においてカラー画像データとしての所定の画像処理が施された後、画像メモリ１１に一時的に格納される。
【００２５】
一方、制御部２は、画像読取ユニット２２の原稿４４の予備走査により得られた画像データから、図６に示すように原稿４４が原稿載置基準位置Ｂに合わせて載置されていると判別した場合、ＲＡＭ９の色指定モード情報９ａをモノクロモードに更新する。このようにＲＡＭ９の色指定モード情報９ａがモノクロモードに更新された場合には、原稿読取部３において読み取られた画像データは、モノクロ画像データとしての所定の画像処理が施された後、画像メモリ１１に一時的に格納される。本実施の形態において、主走査方向における原稿の位置に基づいて色指定モードを切り替える処理は、原稿４４が原稿載置台２１の原稿載置基準位置Ａを基準にして載置されているのか、又は原稿載置基準位置Ｂを基準にして載置されているのかに基づいて、色指定モード情報９ａをカラーモード又はモノクロモードに更新する処理であり、この処理を行う制御部２が切替手段として機能する。
【００２６】
画像処理部１０は、原稿読取部３から出力された画像データに対し、所定の画像処理を施すものである。具体的には、原稿読取部３で読み取られた原稿のＲＧＢ表色系の画像データに対し、シューディング補正、ずれ／ライン補正の入力補正を行った後、ＲＧＢ表色系の画像データからＬ＊ａ＊ｂ＊表色系の画像データへと変換し、明るさや色相の微調整等の色調整を行う。そして、Ｌ＊ａ＊ｂ＊表色系の画像データを、Ｃ（シアン）、Ｍ（マゼンタ）、Ｙ（イエロー）、Ｋ（ブラック）の出力表色系の各画像データへと変換し、誤差拡散処理等を施して２値化する処理を行う。なお、これらの処理は、ＲＡＭ９の色指定モード情報９ａがカラーモードに更新されている場合に行われるものであるが、ＲＡＭ９の色指定モード情報９ａがモノクロモードに更新されている場合には、画像処理部１０は、原稿読取部３から出力された画像データに対して、モノクロ画像データとして出力するための所定の画像処理を施す。具体的には、上記のＬ＊ａ＊ｂ＊表色系の画像データをＣＭＹＫの出力表色系の各画像データへと変換する処理において、Ｌ＊ａ＊ｂ＊表色系の画像データからＬ＊成分（明度成分）のみを抽出し、Ｋ色の画像データのみを生成する処理を行う。
【００２７】
画像メモリ１１は、原稿読取部３において読み取られた後、画像処理部１０において所定の画像処理が施された原稿の画像データや、ファクシミリ受信した画像データ等を一時的に格納しておくためのメモリである。コーデック１２は、画像データを所定のプロトコルに対応して符号化（エンコード）・復号化（デコード）するものである。すなわち、画像データを送信などのためにＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化し、画像メモリ１１に格納されている符号化された画像データを記録紙に記録するために記録部１３の記録動作に合わせて復号化するものである。
【００２８】
記録部１３は、例えば電子写真方式のものからなり、画像処理部１０において所定の画像処理が施された画像データや、コーデック１２によって復号化された画像データを記録紙に記録するものである。具体的には、ＣＭＹＫの４色のトナーにより記録紙に記録するものである。
【００２９】
通信部１４は、モデム１５及びＮＣＵ（Ｎｅｔｗｏｒｋ  Ｃｏｎｔｒｏｌ  Ｕｎｉｔ）１６を備えている。モデム１５は、例えばＩＴＵ−Ｔ（国際電気通信連合電気通信標準化部門）の勧告Ｖ．３４規格又はこれと同様のものに従った送受信データの変調及び復調を行うものである。ＮＣＵ１６は、電話回線を制御して電話をかけたり、切ったりする回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）１９に接続されている。ＬＡＮ  Ｉ／Ｆ１７は、ＬＡＮ（Ｌｏｃａｌ  Ａｒｅａ  Ｎｅｔｗｏｒｋ）４１とのインターフェイスを備えており、この画像読取装置１と同じくＬＡＮ４１に接続されたクライアントＰＣ４２との通信が可能である。
【００３０】
複合機として上記構成を備えた画像読取装置１によれば、コピー機能によって原稿読取部３で読み取った原稿の画像データを記録紙に記録することができるほか、ファクシミリ機能によって他のＧ３ファクシミリ装置（不図示）と画像データをファクシミリ送受信し、スキャナ機能によって原稿読取部３で読み取られた原稿の画像データをクライアントＰＣ４２等に出力し、プリンタ機能によってクライアントＰＣ４２から受信した画像データを記録紙に記録することができるようになっている。
【００３１】
以下、コピー機能、ファクシミリ機能、スキャナ機能により原稿載置台２１に載置された原稿を読み取る場合に、画像読取装置１において行われる処理動作について、図７に示すフローチャートに基づいて説明する。まず、制御部２は、開閉検出部５の検出結果に基づいて原稿押圧部材２５が開かれたか否かを判断する（Ｓ１）。そして、原稿押圧部材２５が開かれていると判断した場合（Ｓ１：ＹＥＳ）、例えば「カラーモードの場合は左手前に、モノクロモードの場合は左手奥に原稿をセットしてください」等のメッセージを液晶表示装置３５に表示させることにより、原稿の載置の仕方に関する情報を報知する（Ｓ２）。
【００３２】
続いて、制御部２は、原稿押圧部材２５が閉じられたか否かを開閉検出部５の検出結果に基づいて判断する（Ｓ３）。具体的には、原稿押圧部材２５の原稿読取部本体２３の上面に対する角度θが角度θ１以下であるか否かを判断する。ここで、原稿押圧部材２５が閉じられていないと判断した場合には（Ｓ３：ＮＯ）、前記Ｓ２の報知を繰り返し行う。一方、原稿押圧部材２５が閉じられたと判断した場合には（Ｓ３：ＹＥＳ）、画像読取ユニット２２に原稿の予備走査を行わせると共に、原稿検出部４に原稿の副走査方向のサイズを検出させる（Ｓ４）。そして、原稿の予備走査によって得られた画像データに基づいて判断した原稿の主走査方向のサイズと、原稿検出部４によって検出された原稿の副走査方向のサイズとから、原稿載置台２１上に載置されている原稿の原稿サイズを判断する（Ｓ５）。
【００３３】
そして、制御部２は、前記Ｓ４における原稿の予備走査により得られた画像データから、原稿載置位置がカラーモードの基準位置であるか否かを判別する（Ｓ６）。具体的には、原稿が原稿載置基準位置Ａに合わせて載置されているのか、或いは原稿載置基準位置Ｂに合わせて載置されているのかを判別する。ここで、原稿載置位置はカラーモードの基準位置である、すなわち、原稿４４が原稿載置基準位置Ａに合わせて載置されていると判別した場合（Ｓ６：ＹＥＳ）、ＲＡＭ９の色指定モード情報９ａをカラーモードに更新する（Ｓ７）。そして、操作部６の備えるスタートキー３１の押下による原稿の読取開始命令があったか否かを判断し（Ｓ８）、原稿の読取開始命令があったと判断した場合には（Ｓ８：ＹＥＳ）、画像読取ユニット２２により原稿の画像を読み取り、画像処理部１０においてカラー画像データとしての所定の画像処理を施して画像メモリ１１に一時的に格納する（Ｓ９）。
【００３４】
一方、制御部２は、前記Ｓ６において原稿載置位置がカラーモードの基準位置ではない、すなわち、原稿が原稿載置基準位置Ｂに合わせて載置されていると判別した場合には（Ｓ６：ＮＯ）、ＲＡＭ９の色指定モード情報９ａをモノクロモードに更新する（Ｓ１０）。そして、操作部６の備えるスタートキー３１の押下により原稿の読取開始命令があったか否かを判断し（Ｓ１１）、原稿の読取開始命令があったと判断した場合には（Ｓ１１：ＹＥＳ）、画像読取ユニット２２により原稿の画像を読み取り、画像処理部１０においてモノクロ画像データとしての所定の画像処理を施して画像メモリ１１に一時的に格納する（Ｓ１２）。
【００３５】
なお、Ｓ９又はＳ１２において画像メモリ１１に格納された画像データは、コピー機能により記録部１３で記録紙に記録したり、ファクシミリ送信機能によりコーデック１２において所定の符号化方式によって符号化した後、通信部１４からファクシミリ送信したり、スキャナ機能により、ＬＡＮ  Ｉ／Ｆ１７を介してクライアントＰＣ４２に出力することが可能である。
【００３６】
また、制御部２は、前記Ｓ６において、原稿が正しく載置されていないこと等が原因で、原稿が原稿載置基準位置Ａ又は原稿載置基準位置Ｂのいずれに合わせて載置されているのかを判別できない場合は、液晶表示装置３５からその旨の情報を報知すると共に、カラーモード又はモノクロモードの選択を要求する情報を報知し、操作部６の備える操作キーからユーザが容易に選択できるようにする。例えば、操作部６のテンキー３２の「１」が押下された場合にはＲＡＭ９の色指定モード情報９ａをカラーモードに更新し、「２」が押下された場合にはモノクロモードに更新するようにする。
【００３７】
以上説明した画像読取装置１における処理動作は、読み取った原稿の画像データをカラー画像データ又はモノクロ画像データとして処理するものであるが、例えば図８に示すように、原稿載置基準位置Ａと原稿載置基準位置Ｂの中間に、単色カラーの原稿載置基準位置Ｃを設け、原稿載置基準位置Ｃに合わせて原稿４４が載置された場合には、ＲＡＭ９の色指定モード９ａを単色カラーモードに更新し、読み取った原稿の画像データをユーザによって選択された１色の画像データとして処理するようにしてもよい。
【００３８】
また、各色指定モードを切り替えるための原稿載置基準位置は、いずれも画像読取ユニット２２の読取開始位置側に設けられているが、例えば図９に示すように、単色カラーモードの原稿載置基準位置Ｃを原稿載置台２１上の右手奥に設け、この原稿載置基準位置Ｃに合わせて原稿４４が載置された場合に、単色カラーモードに切り替えられるようにしてもよい。ただしこの場合、原稿４４の予備走査を行う前に画像読取ユニット２２を原稿４４が原稿載置基準位置Ｃに合わせて載置されていることを検出できる位置まで移動させなければならない。すなわち、原稿載置基準位置によって予備走査を行う位置を変えなければならない。したがって、本実施形態のように、各色指定モードを切り替えるための原稿載置基準位置は、画像読取ユニット２２の読取開始位置側に設けるのが好適である。
【００３９】
【発明の効果】
以上説明したように、請求項１に記載の画像読取装置によれば、原稿載置台における原稿の載置位置に基づいて色指定モードが切り替えられるので、ユーザは、色指定モードを切り替えるために切替キーを操作することなく色指定モードを切り替えることができる。したがって、切替キーを不要にできる。また、画像読取装置では原稿の画像がカラーであるか否かの判別処理を行う必要がないため、判別処理を行うための判別回路等を不要にでき、装置の低コスト化を図ることができるという利点がある。
【００４０】
請求項２に記載の画像読取装置によれば、位置検出手段は、原稿の主走査方向の位置を検出するものであるため、各色指定モードにおける原稿の読取開始位置を揃えることができる。したがって、何れの色指定モードでも迅速な原稿の読み取りを行うことができる。
【００４１】
請求項３又は４に記載の画像読取装置によれば、画像読取手段の予備走査に基づいて、原稿の主走査方向のサイズを検出すると共に原稿を読み取る際の色指定モードを決定できるので、原稿の主走査方向のサイズを検出するための反射型センサを設ける必要がないという利点がある。また、原稿載置台における読取開始位置付近で原稿の予備走査を行えるので、原稿の位置の検出を迅速に行うことができる。
【図面の簡単な説明】
【図１】本実施の形態に係る画像読取装置の構成を示すブロック図である。
【図２】原稿読取部を示した概略斜視図である。
【図３】原稿読取台における原稿載置基準位置及び原稿の載置の仕方を説明するための図である。
【図４】画像読取ユニットによる原稿の読み取り及び予備走査について説明するための図である。
【図５】開閉検出部による原稿押圧部材の開閉の検出方法について説明するための図である。
【図６】モノクロモードにより原稿の読み取りを行う場合の原稿載置基準位置及び原稿の載置の仕方を示した図である。
【図７】原稿載置台に載置された原稿の画像を読み取る際に、画像読取装置において行われる処理動作を示したフローチャートである。
【図８】単色カラーモードにより原稿の読み取りを行う場合の原稿載置基準位置及び原稿の載置の仕方を示した図である。
【図９】単色カラーモードにより原稿の読み取りを行う場合の他の原稿載置基準位置及び原稿の載置の仕方を示した図である。
【符号の説明】
１  画像読取装置
２  制御部
３  原稿読取部
５  開閉検出部
８  ＲＯＭ
９  ＲＡＭ
９ａ  色指定モード情報
１０  画像処理部
２１  原稿載置台
２２  画像読取ユニット
２５  原稿押圧部材
４４  原稿
Ａ、Ｂ、Ｃ  原稿載置基準位置
【図１】
2005017809.tif 000003
【図２】
2005017809.tif 000004
【図３】
2005017809.tif 000005
【図４】
2005017809.tif 000006
【図５】
2005017809.tif 000007
【図６】
2005017809.tif 000008
【図７】
2005017809.tif 000009
【図８】
2005017809.tif 000010
【図９】
2005017809.tif 000011